(57)【要約】【課題】認証タグの内蔵電池の残量が少なくなった後に、内蔵電池が不必要に消耗されてしまうことを未然に防止するとともに、利用者に対して速やかな内蔵電池の交換を促すことができる非接触認証タグ装置を提供する。【解決手段】非接触認証タグ装置において、予め設定された認証情報を無線信号により発信するためのタグ回路を有する非接触認証タグと、触認証タグに設けられ、タグ回路を駆動するのに必要な電力を供給する電池と、非接触認証タグのタグ回路と電池との間に介挿され、電池の電圧が所定の電圧以下となった場合に、電池からタグ回路への電力の供給を停止する電源供給切換部と、備え、電源供給切換部は、利用者が操作可能な電源スイッチを有し、電池の電圧が所定の電圧以下であっても、電源スイッチがＯＮ操作された場合には、電池からタグ回路へと電力を供給する。【選択図】図１
2012168772.tif 000002
【特許請求の範囲】
【請求項１】
予め設定された認証情報を無線信号により発信するためのタグ回路を有する非接触認証タグと、
前記非接触認証タグに設けられ、前記タグ回路を駆動するのに必要な電力を供給する電池と、
前記非接触認証タグの前記タグ回路と前記電池との間に介挿され、前記電池の電圧が所定の電圧以下となった場合に、前記電池から前記タグ回路への電力の供給を停止する電源供給切換部と、備え、
前記電源供給切換部は、利用者が操作可能な電源スイッチを有し、前記電池の電圧が所定の電圧以下であっても、前記電源スイッチがＯＮ操作された場合には、前記電池から前記タグ回路へと電力を供給することを特徴とする非接触認証タグ装置。
【請求項２】
前記電源供給切換部は、
前記電池の電圧が所定の電圧以下となった場合に前記電池から前記タグ回路への電力の供給を停止する自動給電回路と、
前記電源スイッチが設けられた手動給電回路と、
前記電池から前記タグ回路への電力供給に用いる回路を、前記電源スイッチがＯＮ操作されている場合には前記手動給電回路に切り換え、前記電源スイッチがＯＮ操作されていない場合には前記自動給電回路に切り換える切換手段と、を有することを特徴とする請求項１に記載の非接触認証タグ装置。
【請求項３】
前記電源スイッチは、利用者により押下されている間だけＯＮとなり、指を離すことで自動的にＯＦＦに戻る押しボタンスイッチにより構成されていることを特徴とする請求項１又は請求項２のいずれかに記載の非接触認証タグ装置。
【発明の詳細な説明】
【技術分野】
【０００１】
この発明は、非接触認証タグ装置に関するものである。
【背景技術】
【０００２】
従来における非接触認証タグ装置においては、非接触式の認証タグ（応答器）と、認証タグに記憶された識別情報を読み取るリーダー（質問器）と、を有し、認証タグの所持者がリーダーに接近すると、リーダーからの起動信号を受信した認証タグが、自身に記憶された固有の識別情報（ＩＤ情報）を含む応答信号を返信することにより、認証を行うものが知られている。この認証タグには電池が内蔵されており、応答信号の返信に用いられる電力はこの電池から供給される。すなわち、認証タグは自身に内蔵された電池の電力によって内蔵回路を駆動している。この際、いつでもリーダーからの起動信号を受信できるようにするため、常時、内蔵回路には電池からの電力が供給されている。
【０００３】
そして、認証タグに内蔵された電池の電圧の低下を検出する電圧検知部を備え、内蔵電池の電圧が所定値を下回った場合に応答信号に電池電圧低下情報を含ませるようにし、この電池電圧低下情報が含まれた応答信号を受信したリーダーは、認証タグに内蔵された電池の残量が少ない旨を表示や音によって利用者に報知するようにしている（例えば、特許文献１参照）。
【先行技術文献】
【特許文献】
【０００４】
【特許文献１】特開２００９−２１１３０３号公報
【発明の概要】
【発明が解決しようとする課題】
【０００５】
しかしながら、特許文献１に示された従来における非接触認証タグ装置においては、電圧検知部によって認証タグの内蔵電池の残量が少なくなったことが検出された後も、この内蔵電池から認証タグの回路への電力供給が継続される。このため、認証を行わない時においても不必要に内蔵電池が消耗されてしまうという課題がある。
【０００６】
また、上記課題に関連して、電圧検知部によって認証タグの内蔵電池の残量が少なくなったことが検出された後も、内蔵電池の残量が認証タグの回路を駆動することが不可能なほど減少しない限り、利用者は内蔵電池の残量が十分であった時と同様の認証動作、すなわち、認証タグを携行してリーダーに接近する、によって認証を行うことができる。このため、たとえ認証時にリーダーから内蔵電池の残量が少ない旨を報知されたとしても、利用者は内蔵電池の交換を怠ってしまい、最終的には認証タグの回路を駆動することが不可能となり認証ができなくなってしまう事態に陥ってしまうおそれがあるという課題がある。
【０００７】
この発明は、このような課題を解決するためになされたもので、第１の目的は、認証タグの内蔵電池の残量が少なくなった後に、内蔵電池が不必要に消耗されてしまうことを未然に防止して、内蔵電池の長寿命化及び省エネルギー化を図ることができる非接触認証タグ装置を得るものである。
【０００８】
また、第２の目的は、認証タグの内蔵電池の残量が少なくなった場合に、利用者に対して速やかな内蔵電池の交換を促すことができる非接触認証タグ装置を得るものである。
【課題を解決するための手段】
【０００９】
この発明に係る非接触認証タグ装置においては、予め設定された認証情報を無線信号により発信するためのタグ回路を有する非接触認証タグと、前記非接触認証タグに設けられ、前記タグ回路を駆動するのに必要な電力を供給する電池と、前記非接触認証タグの前記タグ回路と前記電池との間に介挿され、前記電池の電圧が所定の電圧以下となった場合に、前記電池から前記タグ回路への電力の供給を停止する電源供給切換部と、備え、前記電源供給切換部は、利用者が操作可能な電源スイッチを有し、前記電池の電圧が所定の電圧以下であっても、前記電源スイッチがＯＮ操作された場合には、前記電池から前記タグ回路へと電力を供給する構成とする。
【発明の効果】
【００１０】
この発明に係る非接触認証タグ装置においては、認証タグの内蔵電池の残量が少なくなった後に、内蔵電池が不必要に消耗されてしまうことを未然に防止して、内蔵電池の長寿命化及び省エネルギー化を図ることができる。
また、認証タグの内蔵電池の残量が少なくなった場合に、利用者に対して速やかな内蔵電池の交換を促すことができるという効果も併せ奏する。
【図面の簡単な説明】
【００１１】
【図１】この発明の実施の形態１に係る非接触認証タグ装置の全体構成を示すブロック図である。
【図２】この発明の実施の形態１に係る非接触認証タグ装置が備える電源供給切換部の回路構成を示す回路図である。
【図３】この発明の実施の形態１に係る非接触認証タグ装置の動作を説明するフロー図である。
【発明を実施するための形態】
【００１２】
実施の形態１．
図１から図３は、この発明の実施の形態１に係るもので、図１は非接触認証タグ装置の全体構成を示すブロック図、図２は非接触認証タグ装置が備える電源供給切換部の回路構成を示す回路図、図３は非接触認証タグ装置の動作を説明するフロー図である。
図１において、１は、認証の対象となる利用者が携行する非接触認証タグである。この非接触認証タグ１には、複数の利用者の各々を一意に識別する識別情報（ＩＤ情報）が予め記憶されている。
【００１３】
この非接触認証タグ１による認証には、ＲＦＩＤ（無線通信による個体識別：Ｒａｄｉｏ  Ｆｒｅｑｕｅｎｃｙ  Ｉｄｅｎｔｉｆｉｃａｔｉｏｎ）が用いられる。２は、ＲＦＩＤによる認証を行うため、無線通信によって非接触認証タグ１の識別情報を読み取るリーダーである。このリーダー２は、主に、リーダー２の動作を制御するリーダー制御部２ａ、非接触認証タグ１へと起動信号を送信するための起動信号送信部２ｂ及び起動信号送信アンテナ２ｃ、並びに、非接触認証タグ１からの応答信号を受信するための応答信号受信アンテナ２ｄ及び応答信号受信部２ｅから構成されている。
【００１４】
非接触認証タグ１は、いわゆるアクティブ型又はセミアクティブ型のＲＦＩＤタグからなる。非接触認証タグ１は、リーダー２間で無線通信を行うためのタグ回路１０及びこのタグ回路１０へと電力を供給するための電池１１を内蔵している。タグ回路１０は、主に、非接触認証タグ１の動作を制御するタグ制御部１０ａ、リーダー２からの起動信号を受信するための起動信号受信アンテナ１０ｂ及び起動信号受信部１０ｃ、並びに、リーダー２へと応答信号を送信するための応答信号送信部１０ｄ及び応答信号送信アンテナ１０ｅから構成されている。
【００１５】
リーダー２は、リーダー制御部２ａによる制御の下、起動信号送信部２ｂを駆動して起動信号送信アンテナ２ｃから起動信号を一定の周期で発信している。このリーダー２からの起動信号が到達する範囲内に利用者が携行する非接触認証タグ１が入ると、起動信号受信アンテナ１０ｂによりこのリーダー２からの起動信号が受信される。そして、この起動信号受信アンテナ１０ｂにより受信された起動信号は起動信号受信部１０ｃを介してタグ制御部１０ａへと送られる。
【００１６】
起動信号を受けたタグ制御部１０ａは、自身に予め設定されている識別情報（ＩＤ情報）を含む応答信号を生成し、応答信号送信部１０ｄを駆動する。応答信号送信部１０ｄは、このタグ制御部１０ａにより生成された識別情報を含む応答信号を、応答信号送信アンテナ１０ｅから送信する。
【００１７】
この非接触認証タグ１からの応答信号は、リーダー２の応答信号受信アンテナ２ｄにより受信される。応答信号受信アンテナ２ｄにより受信された応答信号は、応答信号受信部２ｅを介してリーダー制御部２ａへと送られる。この応答信号を受けたリーダー制御部２ａは、この応答信号に含まれる識別情報（ＩＤ情報）を取得する。そして、リーダー２において、この識別情報（ＩＤ情報）を用いた認証処理が行われる。この認証処理においては、例えば、識別情報（ＩＤ情報）を予めリーダー２に登録されたものと照合し、識別情報（ＩＤ情報）が登録されている場合には認証ＯＫとされ、登録されていない場合には認証ＮＧと判断される。
【００１８】
非接触認証タグ１における電池１１からタグ回路１０への給電は、直接行われるのではなく、非接触認証タグ１が備える電源供給切換部１２を介して行われる。この電源供給切換部１２は、自動給電回路１２ａ及び手動給電回路１２ｂを有している。電池１１の残量が所定の基準値より大きい場合（すなわち、電池１１の電圧が所定の電圧より大きい場合）には、電池１１の電力は電源供給切換部１２の自動給電回路１２ａを介してタグ回路１０へと供給される。これに対し、電池１１の残量が所定の基準値以下の場合（すなわち、電池１１の電圧が所定の電圧以下の場合）には、電池１１の電力が手動給電回路１２ｂを介してタグ回路１０へと供給されるように、電源供給切換部１２において切り換えられる。
【００１９】
この非接触認証タグ１の電源供給切換部１２の回路構成を図２に示す。
まず、電池１１に対して第１の抵抗（Ｒ１）１４ａが接続されている。これら電池１１の正極側と第１の抵抗（Ｒ１）１４ａとの間には、電源スイッチ（ＳＷ）１３が介挿されている。これら電源スイッチ（ＳＷ）１３と第１の抵抗（Ｒ１）１４ａとの間には、第１のトランジスタ（Ｑ１）１５ａのゲートが接続されている。この第１のトランジスタ（Ｑ１）１５ａには、ｐチャネル型の電界効果トランジシタ（ＦＥＴ：Ｆｉｅｌｄ  Ｅｆｆｅｃｔ  Ｔｒａｎｓｉｓｔｏｒ）が用いられる。
【００２０】
電池１１の正極側には、電源スイッチ（ＳＷ）１３を介することなく、直接に第１のトランジスタ（Ｑ１）１５ａのソースが接続されている。第１のトランジスタ（Ｑ１）１５ａのドレインには第２の抵抗（Ｒ２）１４ｂ及び第３の抵抗（Ｒ３）１４ｃが直列に接続されている。そして、第２の抵抗（Ｒ２）１４ｂと第３の抵抗（Ｒ３）１４ｃとの間には、第２のトランジスタ（Ｑ２）１５ｂのゲートが接続されている。この第２のトランジスタ（Ｑ２）１５ｂは、ｎチャネル型の電界効果トランジシタ（ＦＥＴ）である。
【００２１】
第２のトランジスタ（Ｑ２）１５ｂのドレインは、電源スイッチ（ＳＷ）１３を介することなく直接に電池１１の正極側に接続されている。第２のトランジスタ（Ｑ２）１５ｂのソースには、第１のダイオード（Ｄ１）１６ａのアノードが接続されている。第１のダイオード（Ｄ１）１６ａのカソード側と電池１１の負極側との間には、タグ回路１０が接続されている。
【００２２】
このタグ回路１０は前述したように、リーダー２からの起動信号を受信する起動信号受信アンテナ１０ｂ及び起動信号受信部１０ｃ、識別情報を記憶し起動信号に応じてこの識別情報を含む応答信号を生成するリーダー制御部２ａ、並びに、この生成された応答信号をリーダー２へと送信する応答信号送信部１０ｄ及び応答信号送信アンテナ１０ｅから構成され、非接触認証機能を実現するためのものである。
【００２３】
また、電池１１の正極側には、電源スイッチ（ＳＷ）１３を介した上で第２のダイオード（Ｄ２）１６ｂのアノードが接続されている。そして、この第２のダイオード（Ｄ２）１６ｂのカソード側と電池１１の負極側との間には、タグ回路１０が接続される。
【００２４】
第２の抵抗（Ｒ２）１４ｂ、第３の抵抗（Ｒ３）１４ｃ、第２のトランジスタ（Ｑ２）１５ｂ及び第１のダイオード（Ｄ１）１６ａは、自動給電回路１２ａを構成している。
この自動給電回路１２ａは、電池１１の電圧が所定の電圧以下となった場合に、電池１１からタグ回路１０への給電を自動的に停止する機能を実現するものである。
【００２５】
また、電源スイッチ（ＳＷ）１３及び第２のダイオード（Ｄ２）１６ｂは手動給電回路１２ｂを構成している。この手動給電回路１２ｂは、非接触認証タグ１を携行する利用者により電源スイッチ（ＳＷ）１３がＯＮ操作された場合のみ、電池１１からタグ回路１０へと給電する機能を実現する。
【００２６】
このように構成された電源供給切換部１２の回路において、第１のトランジスタ（Ｑ１）１５ａは、電源スイッチ（ＳＷ）１３のＯＮ／ＯＦＦ状態に応じて、電池１１からタグ回路１０への給電に用いる回路を、自動給電回路１２ａ及び手動給電回路１２ｂの間で排他的に切り換えるためのものである。
【００２７】
すなわち、電源スイッチ（ＳＷ）１３がＯＦＦの場合には、第１のトランジスタ（Ｑ１）１５ａのゲート電圧が０となる。従って、第１のトランジスタ（Ｑ１）１５ａのソースからドレインへと電流が流れ、自動給電回路１２ａに対して電池１１の電圧がかかる。こうして、電池１１から自動給電回路１２ａを介してタグ回路１０に給電される。
【００２８】
これに対し、電源スイッチ（ＳＷ）１３がＯＮの場合には、第１のトランジスタ（Ｑ１）１５ａのゲートに電池１１の電圧がかかる。従って、第１のトランジスタ（Ｑ１）１５ａのソースからドレインには電流が流れなくなるため、自動給電回路１２ａに対して電池１１の電圧がかからなくなる。従って、電池１１からタグ回路１０への給電には、自動給電回路１２ａは用いられなくなる（手動給電回路１２ｂを経由して電池１１からタグ回路１０へと給電されるようになる）。
【００２９】
第２のトランジスタ（Ｑ２）１５ｂは、自動給電回路１２ａにおける、電池１１の電圧が所定の電圧以下となった場合に電池１１からタグ回路１０への給電を自動的に停止する機能を実現するためのものである。
自動給電回路１２ａにかかった電圧は、第２の抵抗（Ｒ２）１４ｂ及び第３の抵抗（Ｒ３）１４ｃによって分圧された上で、第２のトランジスタ（Ｑ２）１５ｂのゲートにかかるようになっている。
【００３０】
従って、自動給電回路１２ａにかかる電池１１の電圧を第２の抵抗（Ｒ２）１４ｂ及び第３の抵抗（Ｒ３）１４ｃで分圧した結果が、第２のトランジスタ（Ｑ２）１５ｂのドレイン−ソース間に電流を流すために必要な閾値以上である場合には、第２のトランジスタ（Ｑ２）１５ｂのドレインからソースへと電流が流れて、自動給電回路１２ａを経由してタグ回路１０へと給電される。
【００３１】
一方、電池１１の電圧を第２の抵抗（Ｒ２）１４ｂ及び第３の抵抗（Ｒ３）１４ｃで分圧した結果が前記閾値以下である場合には、第２のトランジスタ（Ｑ２）１５ｂのドレイン−ソース間には電流が流れない。このため、自動給電回路１２ａを経由したタグ回路１０への給電は停止される。
【００３２】
具体的に例えば、電池１１の初期電圧が３Ｖ、タグ回路１０を駆動するための最低電圧が２．１Ｖで、電池の電圧が２．４Ｖまで下がった時に自動給電を停止する場合について説明する。なお、第２のトランジスタ（Ｑ２）１５ｂのドレインからソースに電流を流すために必要なゲート電圧の閾値は０．８Ｖとする。
【００３３】
電池１１の電圧が２．４Ｖ以下の時に自動給電回路１２ａによってタグ回路１０への給電を停止するためには、電圧２．４Ｖを第２の抵抗（Ｒ２）１４ｂ及び第３の抵抗（Ｒ３）１４ｃで分圧した結果が０．８Ｖ以下になるようにすればよい。従って、この場合の第２の抵抗（Ｒ２）１４ｂ及び第３の抵抗（Ｒ３）１４ｃの抵抗値Ｒ２及びＲ３は、以下の（１）式の関係を満たすように決定すればよい。
【００３４】
２．４（Ｖ）×Ｒ３（Ω）／（Ｒ２（Ω）＋Ｒ３（Ω））＝０．８Ｖ  …  （１）
【００３５】
例えば、Ｒ３を１００ｋΩとした場合、上記（１）式によりＲ２は２００ｋΩとすればよい（２．４Ｖ×１００ｋΩ／（１００ｋΩ＋２００ｋΩ）＝０．８Ｖ）。このようにすることにより、電池１１の電圧が初期電圧３Ｖから２．４Ｖまでの間である時には、第２のトランジスタ（Ｑ２）１５ｂのゲート電圧が０．８Ｖ以上となる。従って、第２のトランジスタ（Ｑ２）１５ｂのドレインからソースへと電流が流れ、タグ回路１０に２．４Ｖ以上の電圧が給電されることでタグ回路１０が駆動される（非接触認証タグ１を用いた認証が可能となる）。
【００３６】
一方、電池１１の電圧が２．４Ｖを下回った場合、第２のトランジスタ（Ｑ２）１５ｂのゲート電圧は０．８Ｖを下回ることとなる。従って、第２のトランジスタ（Ｑ２）１５ｂのドレイン−ソース間の電流は遮断され、タグ回路１０への給電は自動的に停止される。この状態ではタグ回路１０は駆動されないため、非接触認証タグ１による認証はできなくなる。
【００３７】
なお、電池１１の電圧が２．４Ｖを下回り自動給電回路１２ａを経由したタグ回路１０への給電が停止された状態であっても、電池１１の電圧がタグ回路１０を駆動可能な最低電圧２．１Ｖ以上であれば、利用者は電源スイッチ（ＳＷ）１３をＯＮ操作することにより、電池１１から手動給電回路１２ｂを経由して給電し、タグ回路１０を駆動させることができる。
【００３８】
ここで、電源スイッチ（ＳＷ）１３は、利用者により押下されている間だけＯＮとなり、指を離すことで自動的にＯＦＦに戻る押しボタンスイッチを用いることにより、電池１１電圧低下時におけるＯＦＦし忘れを防止することができる。
【００３９】
なお、第１のダイオード（Ｄ１）１６ａは手動給電回路１２ｂを経由してタグ回路１０に電力を供給する際に、自動給電回路１２ａに電流が逆流するのを防ぐためのものである。また、第２のダイオード（Ｄ２）１６ｂは自動給電回路１２ａを経由してタグ回路１０に電力を供給する際に、手動給電回路１２ｂに電流が逆流するのを防ぐために設けられている。
【００４０】
そして、最終的に電池１１の電圧が２．１Ｖを下回った場合には、電源スイッチ（ＳＷ）１３をＯＮ操作して手動給電回路１２ｂ経由でタグ回路１０に電力を供給しても、タグ回路１０を駆動可能な最低電圧を下回っているため、タグ回路１０を駆動することはできなくなる（非接触認証タグ１を用いた認証はできなくなる）。
【００４１】
図３のフロー図によって、このように構成された非接触認証装置の特に電源供給切換部の動作をまとめる。
まず、ステップＳ１において、電源スイッチ（ＳＷ）１３が押されてない（ＯＮ操作されていない）場合には、ステップＳ２に移る。このステップＳ２においては、第１のトランジスタ（Ｑ１）１５ａのゲート電圧がＯＶとなるため、第１のトランジスタ（Ｑ１）１５ａはＯＮとなり自動給電回路１２ａに電池１１の電圧がかかる。続くステップＳ３において、第２のトランジスタ（Ｑ２）１５ｂのゲート電圧が閾値（先ほどの例では０．８Ｖ）より大きい場合、ステップＳ４に移り第２のトランジスタ（Ｑ２）１５ｂはＯＮとなる。従って、ステップＳ５へと移り、自動給電回路１２ａの第１のダイオード（Ｄ１）１６ａを介してタグ回路１０へと電池１１の電力が供給される。この場合、第２のダイオード（Ｄ２）１６ｂ（手動給電回路１２ｂ）からはタグ回路１０へと給電されない。
【００４２】
一方、ステップＳ３において、第２のトランジスタ（Ｑ２）１５ｂのゲート電圧が閾値以下である場合、ステップＳ６に移り第２のトランジスタ（Ｑ２）１５ｂはＯＦＦとなる。従って、ステップＳ７へと移り、第１のダイオード（Ｄ１）１６ａ（自動給電回路１２ａ）及び第２のダイオード（Ｄ２）１６ｂ（手動給電回路１２ｂ）のいずれからもタグ回路１０に電力供給されないこととなる。
【００４３】
以上に対し、ステップＳ１において、電源スイッチ（ＳＷ）１３が押されている（ＯＮ操作されている）場合には、ステップＳ８に移る。このステップＳ８においては、第１のトランジスタ（Ｑ１）１５ａのゲートに電池１１の電圧がかかるため、第１のトランジスタ（Ｑ１）１５ａはＯＦＦとなる。そして、この場合、自動給電回路１２ａには電圧がかからないため、第２のトランジスタ（Ｑ２）１５ｂのゲート電圧は閾値以下になる。すなわち、ステップＳ９に移り第２のトランジスタ（Ｑ２）１５ｂはＯＦＦとなる。結果として、ステップＳ１０において、手動給電回路１２ｂの第２のダイオード（Ｄ２）１６ｂを介してタグ回路１０へと電池１１の電力が供給されることになり、第１のダイオード（Ｄ１）１６ａ（自動給電回路１２ａ）からはタグ回路１０へと給電されない。
【００４４】
以上のように構成された非接触認証タグ装置は、予め設定された認証情報を無線信号により発信するためのタグ回路とタグ回路を駆動するのに必要な電力を供給する電池とを有する非接触認証タグにおいて、タグ回路と電池との間に、電池の電圧が所定の電圧以下となった場合に、電池からタグ回路への電力の供給を停止する電源供給切換部を介挿し、この電源供給切換部は、利用者が操作可能な電源スイッチを有し、電池の電圧が所定の電圧以下であっても、電源スイッチがＯＮ操作された場合には、電池からタグ回路へと電力を供給するようにしたものである。
【００４５】
このため、電池の電圧が初期の３Ｖから所定の電圧２．４Ｖに低下するまでは常にタグ回路に電力が供給されているために、非接触型ＩＤタグをリーダーに接近させる（非接触型ＩＤタグを携行する利用者がリーダーに近づく）だけで、起動信号の受信及び応答信号の送信をすることができる。すなわち、このように特別な操作なしで認証されるという利便性を維持しつつ、電池の電圧が所定の電圧２．４Ｖからさらにタグ回路を駆動可能な最低電圧２．１Ｖに低下するまでは、タグ回路への自動給電を停止させるため、常にタグ回路に給電している場合に比べて電池の消耗を小さくできる。
【００４６】
また、電池の電圧が低下して非接触認証タグの電源がＯＦＦとなりリーダーに近づいても認証されない場合には、利用者はタグの電源スイッチを押すことで認証できるようになる。また、加えて、電源スイッチを操作しなければ認証されなかったという事から、タグの電池切れが近いことを知ることができる。さらに、電源スイッチを押すという操作が増えることで、利用者に対して速やかな電池交換を促すことができ、電池交換を確実に行うようになることが期待される。
【符号の説明】
【００４７】
１    非接触認証タグ
２    リーダー
２ａ  リーダー制御部
２ｂ  起動信号送信部
２ｃ  起動信号送信アンテナ
２ｄ  応答信号受信アンテナ
２ｅ  応答信号受信部
１０    タグ回路
１０ａ  タグ制御部
１０ｂ  起動信号受信アンテナ
１０ｃ  起動信号受信部
１０ｄ  応答信号送信部
１０ｅ  応答信号送信アンテナ
１１    電池
１２    電源供給切換部
１２ａ  自動給電回路
１２ｂ  手動給電回路
１３    電源スイッチ（ＳＷ）
１４ａ  第１の抵抗（Ｒ１）
１４ｂ  第２の抵抗（Ｒ２）
１４ｃ  第３の抵抗（Ｒ３）
１５ａ  第１のトランジスタ（Ｑ１）
１５ｂ  第２のトランジスタ（Ｑ２）
１６ａ  第１のダイオード（Ｄ１）
１６ｂ  第２のダイオード（Ｄ２）
【図１】
2012168772.tif 000003
【図２】
2012168772.tif 000004
【図３】
2012168772.tif 000005